(57)【要約】【課題】基準線の表示が必要性が高い場合に該基準線を自動的に表示し、そうでない場合には該基準線を自動的に非表示となるようにする。【解決手段】光学系による像を表示する表示手段と、経緯度情報を検出する検出手段１２と、検出手段１２により検出された経緯度情報と、経緯度に対応した地形に関する情報を含む地図データ１６とに基づいて、前記光学系による像内に基準線を重畳して表示する基準線表示手段１８とを備えて構成される撮像装置である。【選択図】図２
2010004117.tif 000002
【特許請求の範囲】
【請求項１】
光学系による像を表示する表示手段と、
経緯度情報を検出する検出手段と、
前記検出手段により検出された経緯度情報と、経緯度に対応した地形に関する情報を含む地図データとに基づいて、前記光学系による像内に基準線を重畳して表示する基準線表示手段と、
を備えることを特徴とする画像表示装置。
【請求項２】
前記光学系が向いた方位を検出する方位検出手段を更に備え、
前記基準線表示手段は、前記方位検出手段により検出された方位に基づいて、前記基準線を表示することを特徴とする請求項１に記載の画像表示装置。
【請求項３】
前記光学系の仰角を検出する仰角検出手段を更に備え、
前記基準線表示手段は、前記仰角検出手段により検出された仰角に基づいて、前記基準線を表示することを特徴とする請求項１又は２に記載の画像表示装置。
【請求項４】
特定の地形的特徴が前記光学系による像内に入ると予測される場合に、前記基準線を表示することを特徴とする請求項１〜３の何れか一項に記載の画像表示装置。
【請求項５】
前記特定の地形的特徴は水平線であることを特徴とする請求項４に記載の画像表示装置。
【請求項６】
前記特定の地形的特徴は地平線であることを特徴とする請求項４に記載の画像表示装置。
【請求項７】
請求項１〜６の何れか一項に記載の画像表示装置と、
前記光学系による像を撮像する撮像素子と、
を備えることを特徴とする撮像装置。
【請求項８】
前記撮像装置の姿勢を検出する姿勢検出手段を備え、
前記基準線表示手段は、検出された姿勢に応じて、前記基準線の表示方向を決定することを特徴とする請求項７に記載の撮像装置。
【請求項９】
前記撮像素子により撮像された画像内のうちの特徴を認識する認識手段を備え、
前記認識手段によって認識された特徴に応じて前記基準線を表示することを特徴とする請求項７に記載の撮像装置。
【発明の詳細な説明】
【技術分野】
【０００１】
本発明は、画像表示装置及びカメラ等の撮像装置に関し、特に、経緯度情報を検出する機能を有する画像表示装置及び該画像表示装置を備える撮像装置に関する。
【背景技術】
【０００２】
撮影レンズの機能や仕様に応じてスルー画像に対して、目盛線や格子線等の基準線を重畳表示するようにした技術が知られている（例えば、下記特許文献１参照）。
【０００３】
しかしながら、基準線の表示が必要と考えられる場合でも、該基準線を表示させずに、傾いた撮影を行ってしまったり、これと逆に、基準線の表示が煩わしいと考える場合でも、該基準線を表示させたままとし、違和感を感じたまま撮影を行う場合があるという問題があった。
【０００４】
本発明はこのような点に鑑みてなされたものであり、基準線の表示の必要性が高い場合に該基準線を自動的に表示し、そうでない場合には該基準線を自動的に非表示となるようにした画像表示装置、及び該画像表示装置を備える撮像装置を提供することを目的とする。
【特許文献１】特開２００７−３６９８３号公報
【発明の開示】
【課題を解決するための手段】
【０００５】
本発明に係る画像表示装置は、
光学系（Ｌｎ）による像を表示する表示手段（ＦＤ，ＥＤＰ）と、
経緯度情報を検出する検出手段（１２）と、
前記検出手段により検出された経緯度情報と、経緯度に対応した地形に関する情報を含む地図データ（１６）とに基づいて、前記光学系による像内に基準線（ＨＬ，ＶＬ，ＲＬ）を重畳して表示する基準線表示手段（ＩＰＤ，１８）と、
を備えて構成される。
【０００６】
本発明に係る画像表示装置において、
前記光学系が向いた方位を検出する方位検出手段（１３）を更に備え、
前記基準線表示手段（ＩＰＤ，１８）は、前記方位検出手段により検出された方位に基づいて、前記基準線（ＨＬ，ＶＬ，ＲＬ）を表示するようにできる。
【０００７】
また、本発明に係る画像表示装置において、
前記光学系の仰角を検出する仰角検出手段（１４）を更に備え、
前記基準線表示手段（ＩＰＤ，１８）は、前記仰角検出手段により検出された仰角に基づいて、前記基準線（ＨＬ，ＶＬ，ＲＬ）を表示するようにできる。
【０００８】
さらに、本発明に係る画像表示装置において、
特定の地形的特徴（ＨＯ）が前記光学系（Ｌｎ）による像内に入ると予測される場合に、前記基準線（ＨＬ，ＶＬ，ＲＬ）を表示するようにできる。この場合において、前記特定の地形的特徴は水平線（ＨＯ）又は地平線とすることができる。
【０００９】
本発明に係る撮像装置（ＣＭ）は、
本発明に係る画像表示装置と、
前記光学系（Ｌｎ）による像を撮像する撮像素子（ＰＥ）と、
を備えて構成される。
【００１０】
本発明に係る撮像装置（ＣＭ）において、
前記撮像装置の姿勢を検出する姿勢検出手段（１５）を備え、
前記基準線表示手段（ＩＰＤ，１８）は、検出された姿勢に応じて、前記基準線（ＨＬ，ＶＬ，ＲＬ）の表示方向を決定するようにできる。
【００１１】
また、本発明に係る撮像装置において、
前記撮像素子（ＰＥ）により撮像された画像内のうちの特徴を認識する認識手段（１１）を備え、
前記認識手段によって認識された特徴に応じて前記基準線（ＨＬ，ＶＬ，ＲＬ）を表示するようにできる。
【００１２】
なお、この項の説明では、後述する実施形態を表す図面に示す部材等を示す符号を括弧を付して付記したが、これは単に理解の容易化のためであり、本発明の各構成要件は、これらの符号によって限定されるものではない。
【発明の効果】
【００１３】
本発明によれば、経緯度情報と地図データとに基づいて、光学系による像内に基準線を重畳して表示するようにしたので、基準線の表示の必要性が高いと判断される場合に該基準線を自動的に表示し、そうでない場合には該基準線を自動的に非表示とすることができ、特別な操作を行うことなく、必要な場合にのみ、該基準線を基準とした所望の撮影を行うことができるようになるという効果がある。
【発明を実施するための最良の形態】
【００１４】
以下、本発明の実施形態について、図面を参照して詳細に説明する。
【００１５】
（カメラの概略構成）
図１は本発明の実施形態に係るデジタルカメラの概略構成を模式的に示す断面図である。このカメラは、一眼レフ方式のデジタルカメラであり、動画の撮像機能や表示機能をも備えている。但し、本発明が適用可能なカメラとしては、一眼レフ方式のデジタルカメラに限定されず、コンパクトデジタルカメラ、フィルムカメラ、動画を記録するビデオカメラ、その他のカメラであってもよい。また、本発明は、一般的にカメラと称呼される装置にも限定されず、携帯電話、ＰＤＡ、その他の撮像機能を備えるあらゆる電子装置にも適用可能である。
【００１６】
図１において、撮影レンズＬｎを介した被写体の像は、ミラーダウン状態にあるクイックリターンミラーＱＲＭ（図１に二点鎖線で示す）により上方に反射され、光学ファインダＦＤに導かれ、更に、光学ファインダＦＤ内において、フォーカシングスクリーン（焦点板）ＦＳ、ペンタ（ダハ）プリズムＰＰ等を介して接眼窓ＯＷに導かれ、撮影者は接眼窓ＯＷを介して、当該被写体の像を目視することができる。不図示のレリーズボタンが押下（全押し）されると、クイックリターンミラーＱＲＭが同図で時計方向に回動して、ミラーアップ状態となって撮影レンズＬｎの光路から待避され、撮影レンズＬｎを介した被写体の像は、シャッタＳＨＴを介して、ＣＣＤあるいはＣＭＯＳ等からなる撮像素子ＰＥの撮像面上に結像される。この撮像素子ＰＥにより撮像された画像は、所定の画像処理や圧縮処理等がなされた後に、メモリカード等の画像記録媒体に記録される。なお、クイックリターンミラーＱＲＭをミラーアップ状態として、シャッタＳＨＴを開放状態とすることにより、撮像素子ＰＥにより撮像された画像を、カメラＣＭの背面に設けられた液晶表示パネル（ＬＣＤ）等からなる外部表示装置ＥＤＰに表示（ライブビュー表示）することもできるようになっている。
【００１７】
ファインダＦＤ内には、接眼窓ＯＷを介して目視される被写体の像に重畳して基準線を表示させるためのファインダ内表示装置としての基準線表示装置ＩＤＰが設けられている。基準線表示装置ＩＤＰとしては、この実施形態では、ＬＥＤが用いられている。但し、基準線表示装置ＩＤＰとしては、ＬＣＤや白熱球、有機ＥＬ等を用いてもよい。基準線表示装置ＩＤＰによって被写体の像に重畳して表示される基準線としては、被写体の像が表示される矩形状の視野（撮影領域）内を上下に２分割するような単一又は互いに間隔をもって配置された複数の横線、左右に２分割するような単一又は互いに間隔をもって配置された複数の縦線、これらを組み合わせた格子線等を例示することができる。但し、基準線は、これらに限られず、目盛り線、斜め線、その他の線であってもよい。この実施形態では、基準線としては、格子線が用いられているものとする。なお、基準線としての横線、縦線又は格子線等を、撮影者により予め行われる所定の設定操作に従って切り換えて表示できるようにしてもよい。
【００１８】
（制御系の構成）
図２は本発明の実施形態に係るデジタルカメラＣＭの制御系の要部の構成を示すブロック図である。同図において、撮影手段１０は、撮影レンズＬｎを介して結像される被写体の像を電気信号に変換して出力する上述した撮像素子ＰＥ、該撮像素子ＰＥから出力されるアナログ信号をデジタル信号に変換するＡ／Ｄ変換回路、該撮像素子ＰＥに対して画像信号を取り出すためのタイミング信号を与えるタイミングジェネレータ（ＴＧ）、撮像素子ＰＥで撮影され、Ａ／Ｄ変換回路でＡ／Ｄ変換された画像データを一時的に保存するバッファメモリを含んでいる。また、撮影手段１０は、バッファメモリに保存されている画像データに対して各種の画像処理を行う画像処理回路、画像処理回路で処理された画像データを、ＪＰＥＧ等の圧縮方式で圧縮する圧縮回路、撮影した画像やその他の情報等を、上述した外部表示装置ＥＤＰに表示するための処理を行う表示回路等を含んでいる。
【００１９】
１１はこのカメラＣＭを統括的に制御する制御部としてのマイクロコントローラユニット（ＭＣＵ：Ｍｉｃｒｏ  Ｃｏｎｔｒｏｌｌｅｒ  Ｕｎｉｔ）であり、後述する基準線の表示／非表示に関する基準線表示処理等も行う。マイクロコントローラユニット１１は、ＣＰＵ、ＲＡＭやＲＯＭ等の記憶部を含み、記憶部に記憶された制御プログラム、基準線の表示／非表示に関する基準線表示処理プログラム、各種の制御データ等を読み込み、当該プログラムに従った処理を行う。マイクロコントローラユニット１１には、ＧＰＳセンサ（ＧＰＳ受信機）１２が接続されている。ＧＰＳセンサ１２は、地球上を周回する複数のＧＰＳ（全地球測位システム：Ｇｌｏｂａｌ  Ｐｏｓｉｔｉｏｎｉｎｇ  Ｓｙｓｔｅｍ）衛星からのその軌道と時刻データとを含む電波信号を受信し、これらに基づいて、当該ＧＰＳセンサ１２の現在位置に係る緯度、経度、標高、及び時刻等を含む位置情報を生成し、当該位置情報を含むＧＰＳ信号を、ＮＭＥＡ−０１８３等の所定のプロトコルに従って、一定間隔毎に定期的に出力する装置である。なお、ＮＭＥＡは米国海洋電子機器協会（Ｎａｔｉｏｎａｌ  Ｍａｒｉｎｅ  Ｅｌｅｃｔｒｏｎｉｃｓ  Ａｓｓｏｃｉａｔｉｏｎ）により定められた規格である。
【００２０】
ＧＰＳセンサ１２は、このカメラＣＭの内部に設けられていてもよく、あるいはアクセサリ装置としてカメラＣＭに設けられたホットシューやその他の取付部にコネクタを介して必要に応じて接続されるものであってもよい。また、マイクロコントローラユニット１１には、方位センサ１３、並びに必要に応じて仰角センサ１４及び／又は姿勢センサ１５が接続されている。これらのセンサ１３，１４，１５は、カメラＣＭの内部に設けられている。方位センサ１３は、カメラＣＭの撮影レンズＬｎの光軸ＡＸの水平面内における方位を検出するセンサである。仰角センサ１４は、カメラＣＭの撮影レンズＬｎの光軸ＡＸの水平面に対する角度（仰角及び俯角）を検出するセンサである。姿勢センサ１５は、カメラＣＭの撮影レンズ１５の光軸ＡＸ回りの角度（姿勢）を検出するセンサである。これらのセンサ１３，１４，１５としては、カメラＣＭの方位、仰角、姿勢を検出できるものであれば、どのようなセンサでもよいが、例えば、地磁気センサや加速度センサを用いることができる。
【００２１】
１６は地図データであり、地図データ１６は、マイクロコントローラユニット１１に接続された外部メモリにデータベースとして記憶されている。地図データ１６は、地形に関する情報として、日本国内又は全世界の全体若しくはこれらの一部の地域における海岸線、川、湖、山等を含む自然的な地形、道路、橋、塔、家屋、ビル等の人工的な建造物等に関する情報を含むデータである。地図データ１６は、比較的に広域を網羅するように連続したデータであってもよいし、あるいは主要な観光地（撮影スポット）等に対応した離散的なデータであってもよい。地図データ１６は、当該外部メモリにその全てが予め記憶保持されていてもよいし、必要に応じて広域無線ＬＡＮ等を介して、必要な地域に係る地図データをその都度、専用のサーバ等から読み込むようにしたものであってもよい。
【００２２】
１８はファインダＦＤを介して表示される被写体の像に基準線を重畳表示するための表示部（基準線表示装置ＩＰＤ）としてのＬＥＤであり、このＬＥＤ１８はマイクロコントローラユニット１１による制御の下、表示駆動回路１７によって駆動される。この表示駆動回路１７及びＬＥＤ１８により、スーパーインポーズ部が構成される。ＳＷはカメラＣＭに設けられた操作部としてのレリーズボタンの操作に応じて作動するスイッチであり、レリーズボタンが半押しされるとスイッチＳＷ１が作動し、レリーズボタンが全押しされるとスイッチＳＷ２が作動する。また、操作部としては、レリーズボタンの他、主電源をオン／オフするメインスイッチ、コマンドダイヤル、メニューボタン、項目選択用十字キー、ＯＫボタン（決定ボタン）、表示切換ボタン等も設けられている。撮影者はこれらのスイッチやボタン等を所定の手順に従って操作することにより、各種のモード等を選択したり、その設定を切り換えることができる。
【００２３】
（基準線表示処理）
図３はマイクロコントローラユニット１１による基準線表示処理を示すフローチャートである。まず、レリーズボタンが半押しされたか否か、即ちスイッチＳＷ１がオン（ＯＮ）されたか否かが判断され（ステップＳ１１）、レリーズボタンが半押しされたと判断した場合（Ｙの場合）には、ＧＰＳセンサ１２及び方位センサ１３から各出力値が取得される（ステップＳ１２）。なお、ステップＳ１２では、仰角センサ１４が設けられている場合には、必要に応じて、仰角センサ１４からの出力値も取得される。また、ステップＳ１２では、姿勢センサ１５が設けられている場合には、必要に応じて、姿勢センサ１５からの出力値も取得される。
【００２４】
次いで、ＧＰＳセンサ１２により検出された現在位置に係る地域の地図データ１６を地図データ記憶部から抽出し、ＧＰＳセンサ１２により検出された現在位置及び方位センサ１３により検出された方位（撮影方位）に基づいて、海岸線（陸地と海の境界をなす線）方向の撮影か否かを判断することにより、予め決められた特定の地形的特徴としての水平線（海と空の境界をなす線）が撮影視野内に入るか否かを予測する（ステップＳ１３）。
【００２５】
海岸線方向を撮影する場合には、水平線が撮影視野内に入る可能性があり、撮影者はそのような水平線に合わせてカメラＣＭの姿勢調整を行って撮影したいと考える場合が多い。そこで、ステップＳ１３において、海岸線方向を撮影していると判断される場合（Ｙの場合）には、基準線表示装置ＩＰＤとしてのＬＥＤ１８を点灯させて所定の基準線（ここでは、格子線とする）を表示させる（ステップＳ１４）。ステップＳ１３において、海岸線方向を撮影していないと判断される場合（Ｎの場合）には、かかる基準線を表示させることは、却って煩わしく感じることが多いので、ＬＥＤ１８を消灯させて基準線の表示を停止する（ステップＳ１５）。
【００２６】
次いで、レリーズボタンが全押しされたか否か、即ちスイッチＳＷ２がオン（ＯＮ）されたか否かを判断し（ステップＳ１６）、全押しされていないと判断した場合（Ｎの場合）には、ステップＳ１１に戻り、全押しされたと判断した場合（Ｙの場合）には、所定の撮影処理を行う（ステップＳ１７）。ステップＳ１７の撮影処理では、露出調整やフォーカス調整、クイックリターンミラーＱＲＭの撮影レンズＬｎの光軸ＡＸからの待避（図１で時計方向への回転）、シャッタＳＨＴの開放及び閉塞、撮像素子ＰＥからの画像の取り込み、取り込んだ画像に対する各種画像処理等を行い、当該画像に係る画像データがメモリカード等の画像記録媒体に記録される。
【００２７】
図４は基準線を表示しない場合のファインダＦＤ内の表示の一例を示す図である。同図に示されているように、水平線ＨＯは撮影視野ＳＦの長手方向（横方向）に対して傾いているため、このまま撮影を実施した場合には、傾いた画像が撮影されることになる。図５は基準線として格子線を表示した場合のファインダＦＤ内の表示の一例を示す図であり、カメラＣＭの姿勢は図４と同じ状態で基準線を重畳表示した状態を示している。図５において、ＨＬは基準線の横線を、ＶＬは同じく縦線を示している。
【００２８】
水平線ＨＯが基準線ＨＬに対して角度αで示すように傾いていることが認識されるため、カメラＣＭを撮影レンズＬｎの光軸ＡＸ回りに僅かに回転（この場合は、反時計方向に角度αに相当する量だけ回転）させることにより、図６に示すように、水平線ＨＯが基準線ＨＬに対して平行となるように容易に姿勢調整することができる。この状態で、レリーズボタンを全押しすることにより、図７に示すように水平線ＨＯが撮影視野ＳＦの長手方向（横方向）に対して傾いていない所望の撮影画像を得ることができる。
【００２９】
なお、図５及び図６において、基準線としての格子線は、撮影視野ＳＦを実質的に均等に１６分割するように、それぞれ３本の横線ＨＬと縦線ＶＬを配置したものを示したが、撮影視野ＳＦの中心を通るように、それぞれ１本の横線と縦線を配置したものであってもよいし、それぞれ２本又は４本以上を配置したものであってもよい。また、横線と縦線の数を異ならせてもよい。
【００３０】
次に、上述した図３のステップＳ１３における基準線を表示するか否かの判断について、具体的に説明する。図８は地図データ１６の一例を説明するための図であり、新潟県の一部を示している。同図では、地形（海岸線）を表す線並びに港湾の位置及びその名称で表現しているが、地図データ１６は、実際には、これらに相当する数値や文字等からなるデータである。地図データ１６は、図８に記号Ｍｎ−２〜Ｍｎ〜Ｍｎ＋２、Ｍｍ〜Ｍｍ＋２で例示されているように、緯度で２０分、経度で２０分に相当する複数のマップエリアから構成されている。なお、特に限定されないが、ここでは、各マップエリアには、地形に関する情報の一部として、海岸地域（海岸線を含む地域）であるか否かを示す情報（海岸フラグ）、及び海岸地域である場合には海岸方位範囲を示す情報が含まれているものとする。なお、マップエリアの大きさは、緯度で２０分、経度で２０分に相当する大きさに限られず、他の大きさであってもよい。
【００３１】
ここでは、寺泊港周辺に対応するマップエリアＭｎ（北緯３７°４０’〜３７°２０’、東経１３８°２０’〜１３８°４０’）は、海岸線を含んでいるため、海岸フラグとして、海岸地域を示す例えば「１」が設定されている。また、海岸線に沿って、マップエリアＭｎ−１，Ｍｎ−２，Ｍｎ＋１，Ｍｎ＋２も同様に「１」が設定されている。なお、内陸に位置する（海岸線を含まない）マップエリアＭｍ，Ｍｍ＋１，Ｍｍ＋２については、海岸フラグとして、非海岸地域を示す例えば「０」が設定されている。
【００３２】
図９はマップエリアＭｎを拡大して示す図である。同図中の海岸線に対して、海岸方位（海岸線に対して海側法線方向の真北に対する角度）をθｎとして、θｎ±θａが海岸方位範囲を示す情報として設定されている。マップエリアＭｎでは、例えばθｎ＝７０°であるものとする。θａは海岸方位θｎを中心として、海岸線が撮影視野内に入ると予測される程度の角度に設定され、ここでは、例えば、θａ＝４５°に設定されている。
【００３３】
今、レリーズボタンが半押し（即ち、スイッチＳＷ１がオン）された時点におけるＧＰＳセンサ１２により検出された現在位置が北緯３７°３０’、東経１３８°３０’であるものとすると、この現在位置に基づいて地図データ１６が検索され、この現在位置を含むマップエリアＭｎが特定され、該マップエリアＭｎに係る海岸フラグから海岸地域にいることが認識される。次いで、この時点における方位センサ１３により検出された方位（撮影方位）がθ＝９０°であるものとすると、マップエリアＭｎにおける海岸方位範囲は７０°±４５°であるから、この範囲に含まれることになり、撮影視野内に海岸線が入る可能性が高いと判断され、ファインダＦＤ内に基準線が重畳表示される。海岸フラグが非海岸地域を示す場合、又は海岸フラグが海岸地域を示す場合であって、撮影方位が海岸方位範囲に含まれない場合には、撮影視野内に海岸線が入らない可能性が高いと判断され、ファインダＦＤ内には基準線は表示されない。
【００３４】
上述した実施形態では、ＧＰＳセンサ１２による現在位置、方位センサ１３による撮影方位、及び地図データ１６に基づいて、撮影視野内に海岸線が入る可能性が高いと判断された場合には、基準線としての格子線がファインダＦＤ内の被写体の像に重畳して自動的に表示されるので、当該基準線を表示させるために撮影者が何らかの設定操作等を行う必要がない。従って、その設定操作が煩わしいと感じる撮影者やその操作を熟知していない撮影者であっても、表示された基準線を基準にした傾きのない所望の撮影を行うことができる。また、撮影視野内に海岸線が入らない可能性が高いと判断された場合には、基準線は自動的に非表示とされるので、基準線の表示の必要がないのに該基準線が表示されて、撮影の支障となるようなことも抑制することができる。従って、操作性を向上することができる。
【００３５】
なお、上述した実施形態では、ＧＰＳセンサ１２による現在位置のみならず、方位センサ１３による撮影方位をも判断するようにしている。これは、海岸地域にいる場合であっても、撮影方位が山側（海岸線と反対側）を向いているような場合には、そのような基準線の表示は必要ないと考えられるので、この場合には基準線を表示させないようにしたものであり、より実情に適合した判断を行い得るようにしたものである。但し、ＧＰＳセンサ１２により検出された現在位置から海岸地域にいると判断された場合に、撮影方位にかかわらず、一律に基準線を表示するようにしてもよい。この場合には、方位センサ１３は省略することができ、簡易な構成のカメラに好適な判断方法である。
【００３６】
また、仰角センサ１４が設けられている場合には、ＧＰＳセンサ１２による現在位置及び方位センサ１３による撮影方位に加えて、仰角センサ１４により検出された仰角（撮影レンズＬｎの光軸ＡＸの水平面とのなす角度）に基づいて、基準線の表示／非表示の判断を行うようにすれば、さらに実情に適合した判断を行うことができる。この場合には、仰角センサ１４により検出された仰角が、水平面に対して例えば±４５°の範囲内にある場合には水平線が撮影視野内に入る可能性が高いので基準線を表示し、それ以外の場合には水平線が撮影視野内に入る可能性が低い（空又は地面の方向を向いていると予想される）ので基準線を非表示とする。この仰角に基づく基準線表示／非表示の判断に用いる角度範囲は、上述したような４５°に限られず、他の角度でもよく、ＧＰＳセンサ１２による現在位置における標高に応じて、水平面に対して＋方向及び−方向の角度を適宜に変更するようにすると、より的確性の高い判断が可能になる。
【００３７】
なお、現在位置のみに基づいて基準線の表示／非表示の判断を行うモードと、現在位置及び撮影方位に基づいて基準線の表示／非表示の判断を行うモードと、現在位置及び仰角に基づいて基準線の表示／非表示を判断するモードと、現在位置、撮影方位及び仰角に基づいて基準線の表示／非表示を判断するモードとを設けて、又はこれらのうちの少なくとも２つのモードを設けて、撮影者による設定操作によって、これらを切り換え得るようにしてもよい。
【００３８】
上述した実施形態では、ファインダＦＤ内に表示される被写体の像に基準線を重畳表示する場合について説明したが、これは例示であり、撮像素子ＰＥに結像され、光電変換された画像信号に適宜に間引き処理等を施した信号に基づいて、外部表示装置ＥＤＰに表示する、所謂ライブビュー表示を行う場合にも、本発明を適用することができ、当該外部表示装置ＥＤＰに表示される被写体の画像に重畳して基準線を表示する際に、上述した基準線表示処理を行うようにしてもよい。また、ファインダがこの実施形態のように光学ファインダではなく、電子ビューファインダを搭載しているカメラであっても、本発明を同様に適用することができる。
【００３９】
また、上述した実施形態では、特定の地形的特徴として水平線を例示したが、地平線（陸と空の境界線）であってもよい。地平線が撮影視野内に入るか否かの判断としては、例えば、地図データに基づき、現在位置が広大な砂漠にいると判断されたような場合に、地平線が撮影視野内に入る可能性が高いと判断して、基準線を表示するようにするとよい。
【００４０】
この特定の地形的特徴としては、水平線や地平線の他、海岸線、川岸、湖畔、山等の自然的な地形の他、橋、塔、高層ビル、柵等の人工的な建造物であってもよい。これらの場合には、地図データと現在位置における撮影方位から例えば橋が撮影視野内に入ると予想される場合には、当該橋に沿った撮影を行いたい場合が考えられるので、上記と同様に基準線を表示する。また、特定の観光地等にいる場合には、撮影スポットがほぼ決まっていることが多く、基準線の表示の必要の有無もほぼ予測できるので、地図データに基準線表示／非表示フラグ等を設定しておいて、このフラグに従って基準線の表示／非表示を自動で切り換えるようにしてもよい。
【００４１】
ところで、カメラＣＭの視野領域ＳＦの形状は通常は長辺と短辺を有する矩形状であり、図１０に示されるように長手方向を横にして撮影する横位置撮影と、図１１又は図１２に示されるように長手方向を縦にして撮影する縦位置撮影とがある。ここで、上述した実施形態では、基準線として縦線及び横線からなる格子線を表示するようにしているため、横位置撮影でも縦位置撮影でも、基準線の表示を変更する必要はない。しかし、基準線として、このような格子線ではなく、１本（若しくは複数本）の横線、又は１本（若しくは複数本）の縦線を用いてもよく、この場合には、例えば、横位置撮影において図１０に示すように横線からなる基準線は、縦位置撮影においては図１１に示すような縦線からなる基準線となってしまい、水平線のような撮影視野内において横に伸びる線状の形状を含む撮影を縦位置撮影で行う場合には、カメラＣＭの姿勢調整がしずらく、不都合である。
【００４２】
これに対策するため、次のような手法を用いるとよい。即ち、カメラＣＭにその姿勢（撮影レンズＬｎの光軸ＡＸ回りの回転）を検出する姿勢センサ１５（図２参照）を設け、この姿勢センサ１５により、横位置撮影であるか、縦位置撮影であるかを検出して、これに応じて基準線の表示方向を切り換えるようにするとよい。例えば、姿勢センサ１５による検出値に基づき横位置撮影と判断される場合には、図１０に示すように、撮影視野ＳＦの長手方向に対して平行な基準線ＲＬを表示し、縦位置撮影と判断される場合には、図１２に示すように、撮影視野ＳＦの長手方向に対して垂直な基準線ＲＬを表示する。これにより、横位置撮影か縦位置撮影かにかかわらず、基準線として常に横線が表示されることとなり、水平線のような撮影視野内において横に伸びる線状の形状を含む撮影を行う場合に好適である。
【００４３】
また、このような姿勢センサ１５を用いずに、上記の問題に対策するための、他の手法として、次のようなものを用いてもよい。この手法は、上述したライブビュー表示を行う際に好適である。即ち、撮像素子ＰＥにより撮像中の画像を画像認識して、当該画像内に含まれる予め設定された所定の特徴を抽出する。次いで、この特徴の延在方向、即ち、当該画像中で概略縦に存在するか、概略横に存在するかを判断して、当該特徴が概略縦に存在すると判断された場合には、基準線として縦線を表示し、当該特徴が横に存在すると判断された場合には、基準線として横線を表示するようにする。
【００４４】
例えば、当該特徴が水平線である場合には、横位置撮影でも縦位置撮影でも水平線は画像中で常に横に存在するから、横位置撮影では図１０に示すような基準線ＲＬが表示され、縦位置撮影では図１２に示すような基準線ＲＬが表示されることになる。このようにすることにより、横位置撮影か縦位置撮影かにかかわらず、当該特徴の延在する方向に概略沿った方向に基準線が表示されることになる。このような画像認識を行う認識手段は、マイクロコントローラユニット１１が記憶部から所定の画像認識プログラムを読み込み実行することにより実現される。ここで用いる所定の特徴としては、水平線に限られず、地平線であってもよく、所定の自然的地形や人工的建造物等であってもよい。
【００４５】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００４６】
【図１】本発明の実施形態におけるカメラの概略構成を示す図である。
【図２】本発明の実施形態におけるカメラの制御系の要部構成を示すブロック図である。
【図３】本発明の実施形態における基準線表示処理を示すフローチャートである。
【図４】本発明の実施形態における撮影視野内の表示の一例であって、基準線が表示されていないために、被写体の像が撮影視野内で傾いている様子を示す図である。
【図５】本発明の実施形態における撮影視野内の表示の一例であって、基準線が表示されているために、撮影視野内における被写体の像の傾きが認識できる様子を示す図である。
【図６】本発明の実施形態における撮影視野内の表示の一例であって、基準線に合わせて、撮影視野内における被写体の像の傾きを解消するように姿勢調整した様子を示す図である。
【図７】本発明の実施形態における撮影画像の一例であって、基準線に合わせて姿勢調整して撮影したために、適正に撮影された様子を示す図である。
【図８】本発明の実施形態における地図データの具体例を説明するための図である。
【図９】本発明の実施形態における基準線の表示／非表示の判断手法を説明するための図である。
【図１０】本発明の実施形態における横位置撮影時の基準線の表示例を示す図である。
【図１１】本発明の実施形態における縦位置撮影時に基準線表示を切り換えない場合の基準線の表示例を示す図である。
【図１２】本発明の実施形態における縦位置撮影時に基準線表示を切り換えた場合の基準線の表示例を示す図である。
【符号の説明】
【００４７】
ＣＭ…カメラ、Ｌｎ…撮影レンズ、ＦＤ…ファインダ、ＰＥ…撮像素子、ＥＤＰ…外部表示装置、ＩＰＤ…基準線表示装置、１１…マイクロコントローラユニット、１２…ＧＰＳセンサ、１３…方位センサ、１４…仰角センサ、１５…姿勢センサ、１６…地図データ、１８…ＬＥＤ、ＨＯ…水平線、ＳＦ…撮影視野、ＨＬ，ＶＬ，ＲＬ…基準線、Ｍｎ，Ｍｍ…マップエリア、θｎ…海岸方位、θ…撮影方位。
【図１】
2010004117.tif 000003
【図２】
2010004117.tif 000004
【図３】
2010004117.tif 000005
【図４】
2010004117.tif 000006
【図５】
2010004117.tif 000007
【図６】
2010004117.tif 000008
【図７】
2010004117.tif 000009
【図８】
2010004117.tif 000010
【図９】
2010004117.tif 000011
【図１０】
2010004117.tif 000012
【図１１】
2010004117.tif 000013
【図１２】
2010004117.tif 000014